(57)【要約】【課題】耕耘機を搬送しやすくする。【解決手段】機体（１）から機体（１）後方に突出する接続バー（２）に関節（３）を介して作業用ハンドル（４）が折り畳み可能に連結された耕耘機において、機体（１）前方に突出する第一の補助ハンドル（１２）が機体（１）に取り付けられ、作業用ハンドル（４）が折り畳まれたときに把持可能な位置へと回動する第二の補助ハンドル（２８）が作業用ハンドル（４）に取り付けられる。【選択図】　　　図１
2004097151.tif 000002
【特許請求の範囲】
【請求項１】
機体から機体後方に突出する接続バーに関節を介して作業用ハンドルが折り畳み可能に連結された耕耘機において、機体前方に突出する第一の補助ハンドルが機体に取り付けられ、作業用ハンドルが折り畳まれたときに把持可能な位置へと回動する第二の補助ハンドルが作業用ハンドルに取り付けられたことを特徴とする耕耘機。
【請求項２】
請求項１に記載の耕耘機において、作業用ハンドルの中途に機体側に突出するように湾曲した補強バーが設けられ、この補強バーの突出部に第三の補助ハンドルが形成されたことを特徴とする耕耘機。
【請求項３】
請求項１又は請求項２に記載の耕耘機において、上記関節が、作業用ハンドルの基端部を受ける凹部と、凹部を閉じる抜け止め部と、基端部に対する抜け止め部の押圧力を加減する押圧手段とを具備したことを特徴とする耕耘機。
【発明の詳細な説明】
【０００１】
【発明の属する技術分野】
本発明は、折り畳み可能な作業用ハンドルを備えた耕耘機に関する。
【０００２】
【従来の技術】
【特許文献１】特開平７−２３６３０４号公報
【特許文献２】特開２００１−３３４９６５号公報
従来、耕耘機の運搬、格納等を簡易に行うことができるようにするため、作業用ハンドルは耕耘機の機体に関節を介して折り畳み可能に連結されている。
【特許文献１】に記載される耕耘機の作業用ハンドルは、関節で曲げられ機体上に被せられるようになっている。そして、機体の前端には補助ハンドルを備えている。作業用ハンドルを折り曲げて短くすることにより補助ハンドルを掴んで耕耘機を簡易に運搬することができる。
【特許文献２】の耕耘機は機体の前端に補助ハンドルを備えている。補助ハンドルを利用することにより耕耘機の運搬が簡易化される。
【０００３】
【発明が解決しようとする課題】
【特許文献１】の耕耘機は作業用ハンドルを折り畳むことにより全体をコンパクト化して運搬しやすくしているが、機体前端に設けた補助ハンドルだけを掴んで耕耘機を自家用車のトランクやトラックの荷台等に載せたり降ろしたりする作業が難しい。また、
【特許文献２】の耕耘機は自家用車のトランクやトラックの荷台等に載せたり降ろしたりする際に補助ハンドルを掴むことができるが、作業用ハンドルが機体から長く突出するので、運搬、保管等の上で邪魔になる。
【０００４】
また、
【特許文献１】及び
【特許文献２】のいずれの耕耘機も、作業用ハンドルの中途に作業用ハンドルを横切る補強バーを有するので、作業用ハンドルを把持する作業位置から機体のエンジン等へのアクセスが困難である。例えば、作業位置からエンジンのスタータノブには手が届かず、作業者は一旦機体の側面に移動しなければならない。
【０００５】
【課題を解決するための手段】
上記問題点を解決するため、請求項１の発明は、機体（１）から機体（１）後方に突出する接続バー（２）に関節（３）を介して作業用ハンドル（４）が折り畳み可能に連結された耕耘機において、機体（１）前方に突出する第一の補助ハンドル（１２）が機体（１）に取り付けられ、作業用ハンドル（４）が折り畳まれたときに把持可能な位置へと回動する第二の補助ハンドル（２８）が作業用ハンドル（４）に取り付けられた耕耘機を採用する。
【０００６】
また、請求項２の発明は、請求項１に記載の耕耘機において、作業用ハンドル（４）の中途に機体（１）側に突出するように湾曲した補強バー（２９）が設けられ、この補強バー（２９）の突出部に第三の補助ハンドル（２２）が形成された耕耘機を採用する。
【０００７】
また、請求項３に係る発明は、請求項１又は請求項２に記載の耕耘機において、上記関節（３）が、作業用ハンドル（４）の基端部（４ａ）を受ける凹部（１３ａ）と、凹部（１３ａ）を閉じる抜け止め部（１４）と、基端部（４ａ）に対する抜け止め部（１４）の押圧力を加減する押圧手段（１８）とを具備した耕耘機を採用する。
【０００８】
【発明の実施の形態】
次に、本発明の実施の形態を図面を参照して説明する。
【０００９】
図１に示すように、この耕耘機は機体１から機体後方に突出する接続バー２を有し、この接続バー２に関節３を介して作業用ハンドル４が折り畳み可能に連結される。
【００１０】
機体１は、垂直方向に伸びる筒状の基台５を備え、この基台５の上に駆動源であるエンジン６を有し、基台５の下に耕耘のためのロータ７を有する。エンジン６はその上部に配置されたスタータノブ８を引くことにより起動し、エンジン６の出力は基台５内に収納された図示しない伝動装置を介してロータ７に伝達され、ロータ７が回転して耕耘を行う。また、基台５の後部にはアーム９を介して抵抗棒１０が連結され、抵抗棒１０に移動用車輪１１が連結される。
【００１１】
この機体１には、機体前方に突出するように第一の補助ハンドル１２が取り付けられる。第一の補助ハンドル１２はパイプ材を略Ｕ字形に湾曲させてなるもので、エンジン６の下方において基台５から前方に突出する。
【００１２】
接続バー２は、機体１の後部から斜め上方に伸び、下端を基台５に連結され、中途を上記アーム９に把持される。接続バー２は例えばパイプ材で構成される。
【００１３】
作業用ハンドル４は、図２に示すように、パイプ材を略Ｕ字形に屈曲させた構造であり、その基端部は水平に伸びる丸軸４ａとして形成される。
【００１４】
作業用ハンドル４と接続バー２との間に設けられる関節３は、図３及び図５に示すように、作業用ハンドル４の丸軸４ａを受ける凹部と、凹部を閉じる抜け止め部とを具備する。
【００１５】
凹部は、接続バー２の上端に固定される湾曲片１３の水平に伸びるＵ字溝１３ａにより形成される。この凹部であるＵ字溝１３ａ内に作業用ハンドル４の基端部である丸軸４ａが回転可能に収納される。
【００１６】
抜け止め部は、図３及び図６に示すように、湾曲片１３のＵ字溝１３ａの開口を閉じる板状の封止片１４で形成され、湾曲片１３に固定されることにより作業用ハンドル４の丸軸４ａを湾曲片１３のＵ字溝１３ａ内に拘束する。
【００１７】
凹部と抜け止め部との間には、丸軸４ａに対する抜け止め部の押圧力を加減する押圧手段が設けられる。すなわち、図５及び図６に示すように、湾曲片１３の一端に係合穴１５が穿設され、湾曲片１３の他端に調整ナット１６が固着される。また、封止片１４の一端に係合穴１５と係合する突起１７が形成され、封止片１４の他端に調整ボルト１８の通し孔１９が穿設される。封止片１４の突起１７を係合穴１５に通したうえで通し孔１９に調整ボルト１８を通し、調整ボルト１８の雄ネジを調整ナット１６の雌ネジと螺合させると、封止片１４が丸軸４ａを湾曲片１３のＵ字溝１３ａの底に押圧し、丸軸４ａを回らないように固定する。また、この調整ボルト１８の締め具合を加減することにより、丸軸４ａに対する抜け止め部としての封止片１４の押圧力が加減され、作業用ハンドル４の接続バー２に対する固定力が調整される。
【００１８】
上記関節３の周辺部は、図１乃至図３に示すように、保護カバー２０で覆われる。保護カバー２０は接続バー２の上端近傍に上側から被せられ、止めネジ２１で固定される。また、この保護カバー２０には作業用ハンドル４が折り畳まれた際に後述する第三の補助ハンドル２２が嵌り込むハンドル止め２３が形成される。
【００１９】
作業用ハンドル４は、上記調整ボルト１８を緩めることで図１に示すように実線位置から二点鎖線位置へと凹部であるＵ字溝１３ａを支点にして矢印Ａ方向に回転させ、折り畳むことが可能であるが、反対の矢印Ｂ方向には回転しないようにするべく、図１乃至図４に示すように、作業用ハンドル４の基端部の丸軸４ａにはハンドルブラケット２４が固着される。
【００２０】
すなわち、このハンドルブラケット２４は、作業用ハンドル４が図１中実線で示す作業位置に引き出されたときに接続バー２の下面に当接して作業用ハンドル４の矢印Ｂ方向への回転を阻止するストッパとして機能するもので、図３及び図４に示すように、丸軸４ａの側面から接続バー２の先端部を間に挟むように突出する一対のアーム片２４ａと、接続バー２の下面に当接しうるようにアーム片２４ａ，２４ａ間に掛け渡される当接片２４ｂとを備える。
【００２１】
作業用ハンドル４は、上記押圧手段である調整ボルト１８によっても引き出し位置に固定することができるが、次に述べる固定手段によっても更に強固に固定することができる。
【００２２】
固定手段は、図３及び図４に示すように、ハンドルブラケット２４を接続バー２に固定するための固定ボルト２５を備える。固定ボルト２５は、後端にノブ２５ａを有し、先端に雄ネジ２５ｂを有し、保護カバー２０、接続バー２及び当接片２４ｂを横断するように貫通する。固定ボルト２５の雄ネジ２５ｂは当接片２４ｂに固着された固定ナット２４ｃの雌ネジと螺合し、ノブ２５ａは保護カバー２０に当接可能である。ノブ２５ａと接続バー２との間における固定ボルト２５のネジ軸には圧縮コイルバネ２６が巻回され、この圧縮コイルバネ２６が固定ボルト２５を保護カバー２０外へと常時付勢する。固定ボルト２５を締め付けると、圧縮コイルバネ２６が圧縮され、ノブ２５ａが保護カバー２０に当接し、当接片２４ｂが接続バー２の表面に圧着する。これにより、ハンドルブラケット２４が接続バー２に固定され、作業用ハンドル４が接続バー２に回転しないように固定される。また、固定ボルト２５が緩められると、圧縮コイルバネ２６が弛緩し、雄ネジ２５ｂが固定ナット２４ｃから離脱し、当接片２４ｂが接続バー２から離反する。これにより、ハンドルブラケット２４が接続バー２から解放される。固定ボルト２５のネジ軸にはストッパナット２７が固定され、固定ボルト２５が固定ナット２４ｃから離脱した後においてこのストッパナット２７が接続バー２からの固定ボルト２５の脱落を阻止する。
【００２３】
上記構成の耕耘機は、作業用ハンドル４を折り畳むことによりコンパクト化されるので、運搬、保管等の上で有利となるが、次のような各種補助ハンドルを備えることで更に有利となる。
【００２４】
すなわち、図１乃至図３に示すように、作業用ハンドル４が折り畳まれたときに把持可能な位置へと回動する第二の補助ハンドル２８が作業用ハンドル４に取り付けられる。
【００２５】
具体的には、第二の補助ハンドル２８は第一の補助ハンドル１２と同様にパイプ材を略Ｕ字形に湾曲させてなるもので、作業用ハンドル４の丸軸４ａの両端近傍に溶接等により固着される。この第二の補助ハンドル２８は、図１中実線で示すように作業用ハンドル４を作業位置に折り起こしたときは作業の邪魔にならないように下方に突出し、図１中二点鎖線で示すように作業用ハンドル４を折り畳んだときに把持可能な位置へと起立するように作業用ハンドル４に固定される。作業用ハンドル４を折り畳むと、この第二の補助ハンドル２８が機体１の後部で起立するので握持可能となり、片手で第一の補助ハンドル１２を握持し、もう一方の手で第二の補助ハンドル２８を握持することができ、これにより人力で容易に耕耘機を持ち上げることができる。
【００２６】
また、図１及び図２に示すように、作業用ハンドル４の中途に機体１側に突出するように湾曲した補強バー２９が設けられ、この補強バー２９の突出部に第三の補助ハンドル２２が形成される。
【００２７】
具体的には、補強バー２９はパイプ材で形成され、その両端がＵ字形の作業用ハンドル４の中間に掛け渡され溶接等により固定される。補強バー２９の中央部は丸軸４ａの方へと突出するように湾曲し、この湾曲部が第三の補助ハンドル２２とされる。作業用ハンドル４を折り畳まない場合でも、片手で第一の補助ハンドル１２を握持し、もう一方の手でこの第三の補助ハンドル２２を握持することができ、これにより人力で容易に耕耘機を持ち上げることができる。この補強バー２９は機体１側に突出するように湾曲しているので、作業者は作業用ハンドル４を操作する位置から機体１側に身体を移動させやすく、作業者は機体１側のエンジン６のスタータノブ８等に容易に手が届き、エンジン６の始動操作等を簡易に行うことができる。
【００２８】
次に、上記構成の耕耘機の作用について説明する。
【００２９】
耕耘機を運搬等する際に、作業用ハンドル４を折り畳むには、まず固定ボルト２５を緩めてハンドルブラケット２４の固定ナット２４ｃから外し、作業用ハンドル４をその丸軸４ａを支点にして図１中実線位置から二点鎖線位置へと回転させる。これにより、作業用ハンドル４は機体１上に被さるように折り畳まれ、耕耘機が全体としてコンパクト化される。作業用ハンドル４が機体１上に被さると、補強バー２９上の第三の補助ハンドル２２が接続バー２上のハンドル止め２３に係止され、これにより作業用ハンドル４が折り畳み位置に固定される。
【００３０】
作業用ハンドル４を折り畳む際、必要に応じて関節３における調整ボルト１８を緩めて、丸軸４ａに対する封止片１４の押圧力を低減し、作業用ハンドル４を回しやすくする。作業用ハンドル４を折り畳んだのち、調整ボルト１８を締め付けると作業用ハンドル４を折り畳み位置に強固に固定することができる。
【００３１】
作業用ハンドル４を折り畳むと、図１中二点鎖線で示すように、第二の補助ハンドル２８が上方に起立するので、片手で第一の補助ハンドル１２を握持し、もう一方の手でこの第二の補助ハンドル２８を握持することで容易に耕耘機を持ち上げることができる。従って、耕耘機を自家用車のトランクやトラックの荷台等に容易に積み込むことができる。
【００３２】
また、作業用ハンドル４の中途の補強バー２９には第三の補助ハンドル２２が形成されているので、作業用ハンドル４を折り畳まない場合でも、作業者は片手で第一の補助ハンドル１２を握持し、もう一方の手でこの第三の補助ハンドル２２を握持することで容易に耕耘機を持ち上げることができる。従って、耕耘機を簡易に自家用車のトランクやトラックの荷台等に積み込むことができる。
【００３３】
耕耘機を使用するには、上記と逆の操作を行って作業用ハンドル４を図１中二点鎖線位置から実線位置へと折り起し、固定ボルト２５を締め付け、更に必要に応じて関節３の調整ボルト１８を締め付ける。
【００３４】
作業者は作業用ハンドル４の位置に立ったままで耕耘機を始動させることができる。図２に示すように、補強バー２９が機体１側に突出するように湾曲しているので、作業者は作業用ハンドル４を把持しうる位置から機体１側に身体を移すようにして手を伸ばすと機体１側のエンジン６のスタータノブ８に容易に手が届き、エンジン６を始動させることができる。
【００３５】
【発明の効果】
請求項１に係る発明によれば、機体から機体後方に突出する接続バーに関節を介して作業用ハンドルが折り畳み可能に連結された耕耘機において、機体前方に突出する第一の補助ハンドルが機体に取り付けられ、作業用ハンドルが折り畳まれたときに把持可能な位置へと回動する第二の補助ハンドルが作業用ハンドルに取り付けられた耕耘機であるから、作業用ハンドルを折り畳んだ時に第二の補助ハンドルを握持することができ、片手で第一の補助ハンドルを握持し、もう一方の手で第二の補助ハンドルを握持することで容易に耕耘機を持ち上げることができる。従って、耕耘機の運搬に際し自家用車のトランクやトラックの荷台等に容易に積み込むことができる。
【００３６】
請求項２に係る発明によれば、請求項１に記載の耕耘機において、作業用ハンドルの中途に機体側に突出するように湾曲した補強バーが設けられ、この補強バーの突出部に第三の補助ハンドルが形成された耕耘機であるから、作業用ハンドルを折り畳まない場合でも、片手で第一の補助ハンドルを握持し、もう一方の手で第三の補助ハンドルを握持することで容易に耕耘機を持ち上げることができる。従って、耕耘機の運搬に際し自家用車のトランクやトラックの荷台等に容易に積み込むことができる。また、補強バーが機体側に突出するように湾曲するので、作業者が作業用ハンドル側から機体側に移動しやすくなる。従って、作業者は機体側のエンジンスタータノブ等に容易に手が届き、エンジン始動操作等を簡易に行うことができる。
【００３７】
請求項３に係る発明によれば、請求項１又は請求項２に記載の耕耘機において、上記関節が、作業用ハンドルの丸軸部を受ける凹部と、凹部を閉じる抜け止め部と、丸軸部に対する抜け止め部の押圧力を加減する押圧手段とを具備した耕耘機であるから、押圧手段を操作することにより丸軸部に対する抜け止め部の押圧力を加減し、作業用ハンドルの接続バーに対する固定力を調整することができる。従って、作業用ハンドルの折り畳み作業を簡易化することができると共に、折り起こした際の作業用ハンドルの固定力を高めることができる。
【図面の簡単な説明】
【図１】本発明に係る耕耘機の正面図である。
【図２】図１中、ＩＩ方向に見た図であり、作業用ハンドル周辺部を示す。
【図３】図２中、ＩＩＩ−ＩＩＩ線矢視断面図である。
【図４】図３中、ＩＶ−ＩＶ線矢視断面図である。
【図５】図３の部分拡大図である。
【図６】図３中、ＶＩ方向に見た図であり、作業用ハンドルの関節を示す。
【符号の説明】
１…機体
２…接続バー
３…関節
４…作業用ハンドル
４ａ…丸軸
１２…第一の補助ハンドル
１３ａ…Ｕ字溝
１４…封止片
１８…調整ボルト
２２…第三の補助ハンドル
２８…第二の補助ハンドル
２９…補強バー
【図１】
2004097151.tif 000003
【図２】
2004097151.tif 000004
【図３】
2004097151.tif 000005
【図４】
2004097151.tif 000006
【図５】
2004097151.tif 000007
【図６】
2004097151.tif 000008